(57)【要約】【課題】  接続されている記録媒体へのデータの書き込みに書き込みエラーが発生する可能性を低減できるようにすること。【解決手段】  電子機器（１００）は、インターフェース手段と、記録媒体接続手段と、電池の充電手段と、前記インターフェース手段に接続された機器の給電能力を検出する給電能力検出手段と、前記インターフェース手段に接続された機器の種別を検出する接続機器種別検出手段と、前記インターフェース手段に給電装置から無線で受電した電力で供給する装置が接続された場合、前記インターフェース手段に接続された機器の給電能力に係わらず、少なくとも、前記記録媒体接続手段に接続された記録媒体にデータの書き込みを行わない動作モードに決定する動作モード決定手段と、を有することを特徴とする。【選択図】図２
2020102968.tif 000002
【特許請求の範囲】
【請求項１】
インターフェース手段と、
記録媒体接続手段と、
電池の充電手段と、
前記インターフェース手段に接続された機器の給電能力を検出する給電能力検出手段と、
前記インターフェース手段に接続された機器の種別を検出する接続機器種別検出手段と、
前記インターフェース手段に給電装置から無線で受電した電力で供給する装置が接続された場合、前記インターフェース手段に接続された機器の給電能力に係わらず、少なくとも、前記記録媒体接続手段に接続された記録媒体にデータの書き込みを行わない動作モードに決定する動作モード決定手段と、
を有することを特徴とする電子機器。
【請求項２】
表示手段をさらに有し、前記動作モード決定手段は、前記インターフェース手段に給電装置から無線で受電した電力で供給する装置が接続された場合には、前記給電能力検出手段と前記接続機器種別検出手段からの情報を参照し決定した動作モードで動作することを表示する請求項１に記載の電子機器。
【請求項３】
ユーザによって操作される操作手段をさらに有し、前記動作モード決定手段は、前記操作手段からの情報を参照し動作モードを決定することを特徴とする請求項１又は２に記載の電子機器。
【発明の詳細な説明】
【技術分野】
【０００１】
本発明は、接続されている電池の充電が可能な電子機器などに関する。
【背景技術】
【０００２】
ＵＳＢ（Ｕｎｉｖｅｒｓａｌ  Ｓｅｒｉａｌ  Ｂｕｓ）Ｔｙｐｅ−Ｃ規格において、ＵＳＢ  Ｔｙｐｅ−Ｃケーブルおよびコネクタが規格化されている。ＵＳＢ  Ｔｙｐｅ−Ｃケーブルを介して受電する電力で、撮像装置等の電子機器を動作することや、接続されている電池を充電することが知られている。ＵＳＢ  Ｔｙｐｅ−Ｃでは、ＣＣ（Ｃｏｎｆｉｇｕｒａｔｉｏｎ  Ｃｈａｎｎｅｌ）端子電圧で、接続されている外部電力供給装置の給電能力を検出し、利用する電力を管理することができる。
【０００３】
外部電力供給装置には、例えば、商用電源から有線で受電した電力で供給する装置、給電装置から無線で受電した電力で供給する装置、等がある。給電装置から無線で受電した電力で供給する装置では、位置ずれがない場合、高い給電能力を示す。しかし、給電装置から無線で受電した電力で供給する装置では、位置ずれが発生すると、給電能力が著しく低下することがある。したがって、接続されている外部電力供給装置の給電能力情報と種別情報を参照して、電子機器の電力管理を行うことが必要である。
【０００４】
特許文献１には、電子機器側の電流源や電圧源とプルアップまたは、プルダウン抵抗の接続および未接続で、接続されている装置のＤ＋端子とＤ−端子の電気的な状態を監視し、専用充電器か否かを判定し、専用充電器の場合のみ充電する方法が記載されている。
【先行技術文献】
【特許文献】
【０００５】
【特許文献１】特開２０１２−１８２９８７号公報
【発明の概要】
【発明が解決しようとする課題】
【０００６】
しかしながら、特許文献１に記載されている方法は、外部電力供給装置が専用充電器か否かを検出し、電子機器の電力管理を行う方法であり、接続されている外部電力供給装置の給電能力情報と種別情報を参照して、電子機器の電力管理を行う方法ではない。
【０００７】
ＵＳＢ  Ｔｙｐｅ−Ｃ規格では、ＣＣ端子電圧で、接続されている外部電力供給装置の給電能力を検出し、利用する電力を管理することができる。しかし、接続されている外部電力供給装置が、例えば、商用電源から有線で受電した電力で供給する装置、給電装置から無線で受電した電力で供給する装置、といった種別を検出し、電子機器の動作モードを決定することが必要である。すなわち、外部電力供給装置が給電装置から無線で受電した電力で供給する装置では、位置ずれがない場合、高い給電能力を示すが、位置ずれが発生すると、給電能力が低下することがある。
【０００８】
例えば、電子機器に接続されているＳＤカード等の記録媒体にデータの書き込みや読み出しを行っている場合に、給電能力が低下し、適切な処理ができなくなり、記録媒体にデータを書き込む際に書き込みエラーなどを引き起こす、という問題がある。
【０００９】
そこで、本発明は、接続されている記録媒体にデータを書き込む際に書き込みエラーが発生する可能性を低減できるようにすることを目的とする。
【課題を解決するための手段】
【００１０】
上記の目的を達成するために、本発明に係る電子機器は、
インターフェース手段と、記録媒体接続手段と、電池の充電手段と、前記インターフェース手段に接続された機器の給電能力を検出する給電能力検出手段と、前記インターフェース手段に接続された機器の種別を検出する接続機器種別検出手段と、前記インターフェース手段に給電装置から無線で受電した電力で供給する装置が接続された場合、前記インターフェース手段に接続された機器の給電能力に係わらず、少なくとも、前記記録媒体接続手段に接続された記録媒体にデータの書き込みを行わない動作モードに決定する動作モード決定手段と、を有することを特徴とする。
【発明の効果】
【００１１】
本発明に係る電子機器によれば、接続されている記録媒体にデータを書き込む際に書き込みエラーが発生する可能性を低減することができる。
【図面の簡単な説明】
【００１２】
【図１】実施形態１における電子機器の一例としての撮像装置１００の外観を示す図である。
【図２】実施形態１における撮像装置１００の構成例を示すブロック図である。
【図３】給電装置から無線で受電した電力で供給する装置の構成例を示すブロック図である。
【図４】実施形態１における撮像装置１００の外部電力供給装置接続部１１０に主電源がＯＦＦの場合に、ＵＳＢ  Ｔｙｐｅ−Ｃケーブルで、外部電力供給装置が接続された場合の動作モード決定処理の一例のフローチャートを示す図である。
【図５】実施形態２における撮像装置１００の外部電力供給装置接続部１１０に主電源がＯＦＦの場合に、ＵＳＢ  Ｔｙｐｅ−Ｃケーブルで、外部電力供給装置が接続された場合の動作モード決定処理の一例のフローチャートを示す図である。
【発明を実施するための形態】
【００１３】
以下、図面を参照して本発明の実施形態を説明する。ただし、本発明は以下の実施形態に限定されるものではない。
【００１４】
［実施形態１］
図１は、実施形態１における電子機器の一例としての撮像装置１００の外観を示す図である。図１（ａ）は正面から、図１（ｂ）は裏面から、それぞれ見たものである。
【００１５】
１０１はレンズおよびシャッターからなる撮像光学系であり、被写体像をＣＣＤセンサ等の撮像素子の受光面上に結像させる。１０２は画像や各種情報を表示する液晶ディスプレイ等の表示部である。１０３は撮影指示を行うためのシャッターボタンである。
【００１６】
１０４はユーザからの各種操作を受け付ける各種スイッチ、ボタン、タッチパネル等の操作部材より成る操作部である。１０５は電源スイッチであり、電源オン、電源オフを切り替える。１０６はリチウムイオン二次電池に代表される充電可能な電池、１０７は電池を接続するための電池接続部である。１０８はＳＤカード等の記録媒体、１０９は記録媒体接続部、１１０はＵＳＢ  Ｔｙｐｅ−Ｃケーブルが接続できる外部電力供給装置接続部である。
【００１７】
図２は、実施形態１における撮像装置１００の構成例を示すブロック図である。
【００１８】
図２において、２０１はレンズユニット、２０２はシャッターであり、撮像光学系１０１はこれらで構成されている。２０３は光学像を電気信号に変換するＣＣＤセンサ等の撮像部である。２０４は画像処理部であり、撮像部２０３の出力信号のアナログ信号処理を行う、相関二重サンプリング部、所望の増幅度に設定可能なプログラマブル・ゲイン・アンプ部、アナログデジタルコンバータ部で構成されている。
【００１９】
２０５は、撮像部２０３、画像処理部２０４を、それぞれ動作させる信号を発生するタイミング信号発生部である。２０６は、レンズユニット２０１、シャッター２０２を、それぞれ動作させる撮像光学系駆動部である。２０７は、撮像装置１００全体を制御する、システム制御部である。
【００２０】
画像処理部２０４からの画像信号は、システム制御部２０７を介して、メモリ２０８に書き込まれる。メモリ２０８は、撮像部２０３によって得られ画像処理部２０４によりデジタルデータに変換された画像データや、表示部１０２に表示するための画像データを格納する。メモリ２０８は、所定枚数の静止画像や所定時間の動画像および音声を格納するのに十分な記憶容量を備えている。
【００２１】
また、メモリ２０８は画像表示用のメモリ（ビデオメモリ）を兼ねている。システム制御部２０７は、メモリ２０８に格納されている画像表示用のデータに、必要に応じ所定のデータを重畳し、表示部１０２に供給する。こうして、表示部１０２に書き込まれた表示用の画像データは、液晶ディスプレイ等の表示器である表示部１０２により表示される。
【００２２】
シャッターボタン１０３および操作部１０４は、システム制御部２０７に各種の動作指示を入力するための操作手段である。シャッターボタン１０３からの操作途中、いわゆる半押し（撮影準備指示）信号で、システム制御部２０７は、ＡＦ（オートフォーカス）処理、ＡＥ（自動露出）処理、ＡＷＢ（オートホワイトバランス）処理等の動作を開始する。シャッターボタン１０３からの操作完了、いわゆる全押し（撮影指示）信号で、システム制御部２０７は、撮像部２０３からの信号読み出しから、ＳＤカード等の記録媒体１０８に画像データを書き込むまでの撮影処理を開始する。
【００２３】
２０９は給電・充電制御部、２１０は電源制御部であり、給電・充電制御部２０９は、電池接続部１０７に接続されている電池１０６の電力を電源制御部２１０に供給する。また、給電・充電制御部２０９は、外部電力供給装置接続部１１０のＶＢＵＳ端子から受電する電力を電源制御部２１０に供給することができる。さらに、給電・充電制御部２０９は、外部電力供給装置接続部１１０のＶＢＵＳ端子から受電する電力で、電池接続部１０７に接続されている電池１０６を充電することができる。
【００２４】
電源制御部２１０は、電源スイッチ１０５の指示に基づいて、給電・充電制御部２０９から供給される電力を、システム制御部２０７を含む各部に、必要な電力を必要な期間供給する。また、電源制御部２１０は、電源スイッチ１０５の指示に係らず、後述の接続機器種別検出部２１１、給電能力検出部２１２、動作モード決定部２１３に必要な電力を供給することができる。
【００２５】
２１１は接続機器種別検出部、２１２は給電能力検出部、２１３は動作モード決定部である。接続機器種別検出部２１１は、外部電力供給装置接続部１１０のＤ＋端子およびＤ−端子に接続されている。接続機器種別検出部２１１は、Ｄ＋端子およびＤ−端子の電圧値情報、あるいは、Ｄ＋端子およびＤ−端子での通信で取得する情報を参照し、外部電力供給装置接続部１１０にケーブルを介して接続されている外部電力供給装置の種別を検出する。外部電力供給装置の種別は、例えば、商用電源から有線で受電した電力で供給する装置、給電装置から無線で受電した電力で供給する装置、等である。
【００２６】
給電能力検出部２１２は、外部電力供給装置接続部１１０のＣＣ端子に接続されている。給電能力検出部２１２は、ＣＣ端子の電圧値情報を参照し、外部電力供給装置接続部１１０にケーブルを介して接続されている外部電力供給装置の給電能力を検出ずる。例えば、ＣＣ端子の電圧値が０．７０Ｖから１．１６Ｖの範囲内であれば最大で５Ｖで１．５Ａ、ＣＣ端子の電圧値が１．３１Ｖから２．０４Ｖの範囲内であれば最大で５Ｖで３．０Ａの給電が可能である。
【００２７】
動作モード決定部２１３は、接続機器種別検出部２１１と給電能力検出部２１２からの情報を参照し、撮像装置１００の動作モードを決定し、システム制御部２０７に決定した動作モード情報を伝えることができる。動作モード決定部２１３は、例えば、給電能力検出部２１２からの供給能力情報を参照し、撮影モード、再生モード、充電モードのいずれかを決定する。実施形態１では、撮影モードは、動作中に第１の電力値より多くの電力を必要とする場合があり、再生モードは、動作中に第１の電力値より多くの電力を必要とする場合がない。
【００２８】
また、撮影モードと再生モードは、動作中にＳＤカード等の記録媒体１０８にデータの書き込みや読み出しを行う場合があり、充電モードは、動作中にＳＤカード等の記録媒体１０８にデータの書き込みや読み出しを行う場合がない。また、動作モード決定部２１３は、外部電力供給装置接続部１１０のＶＢＵＳ端子の電圧値情報を参照し、外部電力供給装置の接続を検出することができる。
【００２９】
図３は、給電装置から無線で受電した電力で供給する装置の構成例を示すブロック図である。
【００３０】
図３において、３０１は共鳴素子、３０２は励振素子、３０３は整流部、３０４は給電制御部、３０５は通信部、３０６はシステム制御部、３０７は外部装置接続部である。共鳴素子３０１は、例えば、空芯コイルで構成されており、ループコイルとされている。励振素子３０２は、例えば、空芯コイルで構成されており、そのコイルの両端はそれぞれ整流部３０３の入力端に接続されている。
【００３１】
なお、共鳴素子３０１と励振素子３０２とは、電磁誘導により強く結合する関係になるように構成されている。また、共鳴素子３０１を構成する空芯コイルは、インダクタンスのみではなく、コイル内部容量を有し、それらインダクタンスと容量で定まる自己共振周波数ｆ０を有し、不図示の給電装置の共鳴素子の自己共振周波数と等しい周波数とされている。共鳴素子３０１は、不図示の給電装置の共鳴素子と、磁界共鳴関係により結合されて、共鳴素子３０１に現れた交流電流により電磁誘導によって励振素子３０２に誘導電流が誘起される。励振素子３０２に誘起された誘導電流は整流部３０３で整流されて直流電流とされ、給電制御部３０４に供給される。
【００３２】
通信部３０５は、不図示の給電装置の通信部と非接触通信を行うアンテナと非接触ＩＣチップで構成され、給電装置の通信部との間で相互認証と通信が行われる。システム制御部３０６は、給電制御部３０４が整流部３０３から供給されている電力情報を給電制御部３０４から取得する。
【００３３】
また、システム制御部３０６は、給電制御部３０４に対し給電の開始や停止の指示、通信部３０５に対し通信内容の管理を行う。さらに、システム制御部３０６は、外部装置接続部３０７のＣＣ端子、Ｄ＋端子、Ｄ−端子それぞれと接続されている。システム制御部３０６は、例えば、ケーブルを介して接続されている撮像装置１００に対し、Ｄ＋端子、Ｄ−端子での通信で、給電装置から無線で受電した電力で供給する装置であることを示す。また、システム制御部３０６は、例えば、ケーブルを介して接続されている撮像装置１００に対し、ＣＣ端子の電圧値で、最大で５Ｖで３．０Ａの給電が可能であることを示す。
【００３４】
図４は、図２で説明した構成の撮像装置１００の外部電力供給装置接続部１１０に主電源がＯＦＦの場合に、ＵＳＢ  Ｔｙｐｅ−Ｃケーブルで、外部電力供給装置が接続された場合の動作モード決定処理の一例のフローチャートを示す図である。
【００３５】
図４において、動作モード決定部２１３は、外部電力供給装置接続部１１０のＶＢＵＳ端子の電圧値情報を参照し、外部電力供給装置の接続を確認する（ステップＳ４０１）。動作モード決定部２１３は、外部電力供給装置が接続されていない場合（ステップＳ４０１でＮＯ）、ステップＳ４０１に戻る。動作モード決定部２１３は、外部電力供給装置が接続されている場合、接続機器種別検出部２１１からの情報を参照し、外部電力供給装置が無線受電機能を有するか否かを判定する（ステップＳ４０２）。
【００３６】
動作モード決定部２１３は、外部電力供給装置が無線受電機能を有する場合（ステップＳ４０２でＹＥＳ）、撮像装置１００の動作モードを充電モードに決定し（ステップＳ４０３）、動作モード決定処理を終了する。動作モード決定部２１３は、外部電力供給装置が無線受電機能を有しない場合（ステップＳ４０２でＮＯ）、電源スイッチ１０５がオンであるか否かを判定する（ステップＳ４０４）。
【００３７】
動作モード決定部２１３は、電源スイッチ１０５がオンでない場合（ステップＳ４０４でＮＯ）、ステップＳ４０４に戻る。動作モード決定部２１３は、電源スイッチ１０５がオンである場合（ステップＳ４０４でＹＥＳ）、給電能力検出部２１２からの供給能力情報を参照し、外部電力供給装置の給電能力が、第１の電力値より小さいか否かを判定する（ステップＳ４０５）。
【００３８】
動作モード決定部２１３は、外部電力供給装置の給電能力が、第１の電力値より小さい場合（ステップＳ４０５でＹＥＳ）、撮像装置１００の動作モードを再生モードに決定し（ステップＳ４０６）、動作モード決定処理を終了する。動作モード決定部２１３は、外部電力供給装置の給電能力が、第１の電力値より小さくない場合（ステップＳ４０５でＮＯ）、撮像装置１００の動作モードを撮影モードに決定し（ステップＳ４０７）、動作モード決定処理を終了する。
【００３９】
なお、動作モード決定処理を終了する前に、動作モード決定部２１３は、システム制御部２０７を介し、決定した動作モードで動作することを、表示部１０２に表示するのが望ましい。その際、決定した動作モードから変更が必要かの表示と操作を促し、ユーザの操作情報を参照し、動作モードを決定しても構わない。すなわち、外部電力供給装置が、給電装置から無線で受電した電力で供給する装置の場合、位置ずれを発生させないことを条件に、撮像装置１００の動作モードを決定する。
【００４０】
なお、実施形態１では、動作モード決定部２１３は、撮影モード、再生モード、充電モードのいずれかを決定するとしたが、これに限定しない。例えば、撮影モードや再生モードの動作中に充電動作を同時に行っても構わない。
【００４１】
また、外部電力供給装置に無線受電機能がない場合（ステップＳ４０２でＮＯ）、電源スイッチ１０５がオンであるか否かを判定し（ステップＳ４０４）、電源スイッチ１０５がオンでない場合（ステップＳ４０４でＮＯ）、ステップＳ４０４に戻る、としたが、その間は充電動作を行っても構わない。
【００４２】
また、実施形態１では、撮像装置１００の主電源がＯＦＦの場合としたが、撮像装置１００の主電源がＯＮの場合であっても、同様の制御動作は可能である。
【００４３】
以上説明したように、実施形態１によれば、接続されている外部電力供給装置が、給電能力に係らず、給電装置から無線で受電した電力で供給する装置の場合、動作中にＳＤカード等の記録媒体１０８にデータの書き込みや読み出しを行う場合がない動作モードとなる。これにより、外部電力供給装置の給電能力に変化があった場合であっても、記録媒体１０８にデータを書き込む際に書き込みエラーが発生する可能性を低減することができる。
【００４４】
［実施形態２］
次に、実施形態２について説明する。実施形態１では、撮影モードは、動作中に第１の電力値より多くの電力を必要とする場合があり、再生モードは、動作中に第１の電力値より多くの電力を必要とする場合がない。実施形態２では、さらに、充電モードは、動作中に第１の電力値より少ない第２の電力値より多くの電力を必要とする場合がない。
【００４５】
図５は、図２で説明した構成の撮像装置１００の外部電力供給装置接続部１１０に主電源がＯＦＦの場合に、ＵＳＢ  Ｔｙｐｅ−Ｃケーブルで、外部電力供給装置が接続された場合の動作モード決定処理の一例のフローチャートを示す図である。
【００４６】
図５において、動作モード決定部２１３は、外部電力供給装置接続部１１０のＶＢＵＳ端子の電圧値情報を参照し、外部電力供給装置の接続を確認する（ステップＳ５０１）。動作モード決定部２１３は、外部電力供給装置が接続されていない場合（ステップＳ５０１でＮＯ）、ステップＳ５０１に戻る。動作モード決定部２１３は、外部電力供給装置が接続されている場合、給電能力検出部２１２からの供給能力情報を参照し、外部電力供給装置の給電能力が、第２の電力値より小さいか否かを判定する（ステップＳ５０２）。
【００４７】
動作モード決定部２１３は、外部電力供給装置の給電能力が、第２の電力値より小さい場合（ステップＳ５０２でＹＥＳ）、撮像装置１００の動作モードを充電モードに決定し（ステップＳ５０４）、動作モード決定処理を終了する。動作モード決定部２１３は、外部電力供給装置の給電能力が、第２の電力値より小さくない場合（ステップＳ５０２でＮＯ）、接続機器種別検出部２１１からの情報を参照し、外部電力供給装置が無線受電機能を有するか否かを判定する（ステップＳ５０４）。
【００４８】
動作モード決定部２１３は、外部電力供給装置が無線受電機能を有する場合（ステップＳ５０４でＹＥＳ）、撮像装置１００の動作モードを充電モードに決定し（ステップＳ５０３）、動作モード決定処理を終了する。動作モード決定部２１３は、外部電力供給装置が無線受電機能を有しない場合（ステップＳ５０４でＹＥＳ）、電源スイッチ１０５がオンであるか否かを判定する（ステップＳ５０５）。
【００４９】
動作モード決定部２１３は、電源スイッチ１０５がオンでない場合（ステップＳ５０５でＮＯ）、ステップＳ５０５に戻る。動作モード決定部２１３は、電源スイッチ１０５がオンである場合（ステップＳ５０５でＹＥＳ）、給電能力検出部２１２からの供給能力情報を参照し、外部電力供給装置の給電能力が、第１の電力値より小さいか否かを判定する（ステップＳ５０６）。
【００５０】
動作モード決定部２１３は、外部電力供給装置の給電能力が、第１の電力値より小さい場合（ステップＳ５０６でＹＥＳ）、撮像装置１００の動作モードを再生モードに決定し（ステップＳ５０７）、動作モード決定処理を終了する。動作モード決定部２１３は、外部電力供給装置の給電能力が、第１の電力値より小さくない場合（ステップＳ５０６でＮＯ）、撮像装置１００の動作モードを撮影モードに決定し（ステップＳ５０８）、動作モード決定処理を終了する。
【００５１】
なお、実施形態２では、動作モード決定部２１３は、撮影モード、再生モード、充電モードのいずれかを決定するとしたが、これに限定しない。例えば、撮影モードや再生モードの動作中に充電動作を同時に行っても構わない。
【００５２】
また、外部電力供給装置に無線受電機能がない場合（ステップＳ５０４でＹＥＳ）、電源スイッチ１０５がオンであるか否かを判定し（ステップＳ５０５）、電源スイッチ１０５がオンでない場合（ステップＳ５０５でＮＯ）、ステップＳ５０５に戻る、としたが、その間は充電動作を行っても構わない。
【００５３】
また、実施形態２では、撮像装置１００の主電源がＯＦＦの場合としたが、撮像装置１００の主電源がＯＮの場合であっても、同様の制御動作は可能である。
【００５４】
以上説明したように、実施形態２によれば、接続されている外部電力供給装置が、給電能力が高い場合でも、給電装置から無線で受電した電力で供給する装置の場合、動作中にＳＤカード等の記録媒体１０８にデータの書き込みや読み出しを行う場合がない動作モードとなる。これにより、外部電力供給装置の給電能力に変化があった場合であっても、記録媒体１０８にデータを書き込む際に書き込みエラーが発生する可能性を低減することができる。
【００５５】
なお、本発明の実施形態は上述の実施形態に限定されるものではない。発明の要旨を逸脱しない範囲で変更または修正された上述の実施形態１または２も本発明の実施形態に含まれる。
【符号の説明】
【００５６】
１００  撮像装置（電子機器）、１０１  撮像光学系、２０１  レンズユニット、
２０２  シャッター、２０３  撮像部、２０４  画像処理部、
２０５  タイミング信号発生部、２０６  撮像光学系駆動部、
２０７  システム制御部
【図１】
2020102968.tif 000003
【図２】
2020102968.tif 000004
【図３】
2020102968.tif 000005
【図４】
2020102968.tif 000006
【図５】
2020102968.tif 000007